(57)【要約】【課題】遠隔地であっても自動的に録画予約された放送番組の内容を録画予約が実行される前にユーザに提示することが可能な信号処理装置および録画予約方法を実現する。【解決手段】本記録再生装置１０は、ネットワークを介して、放送番組情報提供サーバ６０および携帯端末８１に接続されている。記録再生装置１０は、地上波チューナ１、ＢＳ／ＣＳチューナ１９から受信される放送波に重畳される放送番組情報と、放送番組情報提供サーバ６０から送信された放送番組情報とを格納する。記録再生装置１０は、予め指定されたキーワードに関連する放送番組と、格納された放送番組情報の内容とが一致する放送番組を録画処理の対象とする録画予約処理を実行する。記録再生装置１０は、録画予約処理の対象となった録画予約情報の放送番組の内容を携帯端末８１に送信する。ユーザは記録再生装置１０を操作することなく、録画予約された放送番組の内容を確認できる。【選択図】      図１
2007081993.tif 000002
【特許請求の範囲】
【請求項１】
放送番組を録画処理する信号処理装置であって、
放送番組データを受信する受信手段と、
キーワードを格納するキーワード格納手段と、
前記格納されたキーワードに関連する放送番組を前記受信手段によって受信された放送番組データの中から選択し、選択された放送番組を録画予約する録画予約手段と、
前記録画予約手段によって録画予約された放送番組の内容を含む電子メールを端末に送信する録画予約通知手段とを具備することを特徴とする信号処理装置。
【請求項２】
前記録画予約通知手段は、前記受信手段によって放送番組データが受信された時、前記受信された放送番組データの中から録画予約された放送番組の内容を含む電子メールを前記端末に送信する送信手段を含むことを特徴とする請求項１記載の信号処理装置。
【請求項３】
放送番組の録画予約の内容を記録する記録装置と、
前記録画予約通知手段は、予め設定された時間が到来した時、前記記録装置に記録された放送番組の録画予約の内容を含む電子メールを前記端末に送信する送信手段を含むことを特徴とする請求項１記載の信号処理装置。
【請求項４】
前記録画予約通知手段は、前記録画予約手段によって録画予約された放送番組の内容を取り消す取り消し要求を含む電子メールを生成する生成手段を含み、
前記取り消し要求を含む電子メールが前記端末から返信されることによって、前記録画予約された放送番組の内容を取り消す録画予約取り消し手段をさらに具備することを特徴とする請求項１記載の信号処理装置。
【請求項５】
前記生成手段は、前記取り消し要求を含む電子メールをマークアップ言語で生成することを含むことを特徴とする請求項４記載の信号処理装置。
【請求項６】
放送番組を録画処理する信号処理装置に適用される録画予約通知方法であって、
放送番組データを受信する受信ステップと、
キーワードを前記信号処理装置内に格納するキーワード格納ステップと、
前記格納されたキーワードに関連する放送番組を前記受信ステップによって受信された放送番組データの中から選択し、選択された放送番組を録画予約する録画予約ステップと、
前記録画予約ステップによって録画予約された放送番組の内容を含む電子メールを端末に送信する録画予約通知手段とを具備することを特徴とする録画予約通知方法。
【請求項７】
前記録画予約通知ステップは、前記受信ステップによって放送番組データが受信された時、前記受信された放送番組データの中から録画予約された放送番組の内容を含む電子メールを前記端末に送信する送信ステップを含むことを特徴とする請求項６記載の録画予約通知方法。
【請求項８】
放送番組の録画予約の内容を前記信号処理装置内の記録装置に記録するステップと、
前記録画予約通知ステップは、予め設定された時間が到来した時、前記記録装置に記録された放送番組の録画予約の内容を含む電子メールを前記端末に送信する送信ステップを含むことを特徴とする請求項６記載の録画予約通知方法。
【請求項９】
前記録画予約通知ステップは、前記録画予約ステップによって録画予約された放送番組の内容を取り消す取り消し要求を含む電子メールを生成する生成ステップを含み、
前記取り消し要求を含む電子メールが前記端末から返信されることによって、前記録画予約された放送番組の内容を取り消す録画予約取り消しステップとをさらに具備することを特徴とする請求項６記載の録画予約通知方法。
【請求項１０】
前記生成ステップは、前記取り消し要求を含む電子メールをマークアップ言語で生成することを含むことを特徴とする請求項９記載の録画予約通知方法。
【発明の詳細な説明】
【技術分野】
【０００１】
本発明は、例えば録画、再生および録画予約機能を有する信号処理装置および同装置で用いられる録画予約通知方法に関する。
【背景技術】
【０００２】
近年、ＴＶ番組のような放送波に重畳されて送信される放送番組データに基づいて、放送番組の録画処理の実行を予約することが可能な映像録画再生装置のようなＡＶ（オーディオ・ビデオ）レコーダが開発されている。さらに、デジタル放送技術の発展によりデジタル放送波を受信するＡＶレコーダも開発されている。
【０００３】
特許文献１には、録画候補となる放送番組を自動的に検出して録画予約処理を実行するとともに、録画予約された放送番組の録画が実行されたことを番組録画装置のＬＥＤ（Light emitting diode）および表示画面に表示する技術が開示されている。ユーザは、ＬＥＤおよび表示画面を参照することによって、放送番組が自動的に録画されたことを視認することができる。
【特許文献１】特開２００３−１６３８７０号公報
【発明の開示】
【発明が解決しようとする課題】
【０００４】
特許文献１に記載の番組録画装置においては、ユーザは、ＬＥＤおよび表示部に表示される表示画面上で提示された場合のみ、録画予約された放送番組の録画が実行されたことを確認することができる。しかし、この録画予約された放送番組の録画の確認は、ユーザが記録再生装置１０を直接操作することによってのみ可能である。このため、ユーザが外出先などの遠隔地に居る場合においては、放送番組の録画予約の録画を確認することが出来ない。
【０００５】
また、録画予約された放送番組の録画が実行された後にその録画が実行された状態が表示されるよりも、録画予約された放送番組の内容を提示することも望まれる。
【０００６】
本発明は上述の事情を考慮してなされたもので、遠隔地であっても自動的に録画予約された放送番組の内容を録画予約が実行される前にユーザに提示することが可能な信号処理装置および録画予約方法を提供することを目的とする。
【課題を解決するための手段】
【０００７】
上述の課題を解決するために、本発明は、放送番組を録画処理する信号処理装置であって、放送番組データを受信する受信手段と、キーワードを格納するキーワード格納手段と、前記格納されたキーワードに関連する放送番組を前記受信手段によって受信された放送番組データの中から選択し、選択された放送番組を録画予約する録画予約手段と、前記録画予約手段によって録画予約された放送番組の内容を含む電子メールを端末に送信する録画予約通知手段とを具備することを特徴とする。
【発明の効果】
【０００８】
遠隔地であっても自動的に録画予約された放送番組の内容を録画予約が実行される前にユーザに提示することが可能となる。
【発明を実施するための最良の形態】
【０００９】
以下、図面を参照して本発明の実施例を説明する。
【００１０】
図１には、本信号処理装置と外部装置との間のネットワークシステム構成の例が示されている。本信号処理装置は、例えばＴＶ番組のような放送番組（オーディオ・ビデオ（ＡＶ）信号）を録画および再生する記録再生装置１０として実現されている。この記録再生装置１０は、例えばインターネットなどのネットワーク７０を介して、放送番組情報提供サーバ６０および携帯端末８１などに接続されている。記録再生装置１０は、このネットワーク７０を介して、放送番組情報提供サーバ６０および携帯端末８１などと通信を実行する機能を有する。放送番組情報提供サーバ６０は、放送番組データを識別するための放送番組情報群（例えば放送番組名と、放送番組の放送時間（放送開始時間、放送時間）を含む）を配信するサーバコンピュータである。この放送番組情報提供サーバ６０は、放送番組情報を提供する者（放送番組情報を提供する企業など）によって最新の放送番組の内容に更新された放送番組情報群を配信する。携帯端末８１は、携帯電話、ＰＤＡ（Personal Digital Assistant）などの持ち運び可能な移動通信装置である。
【００１１】
本記録再生装置１０は、以下の機能を有する。
【００１２】
（１）放送波に重畳されて送信される例えばＥＰＧ（Electric program guide）のような電子番組表から構成される放送番組情報群を受信する。
【００１３】
（２）ネットワーク７０を経由して放送番組情報提供サーバ６０から放送番組情報群を受信する。
【００１４】
（３）録画予約に関するキーワードを予め登録しておくことで、受信した放送番組情報群の中から登録されたキーワードに合致する放送番組の録画処理の実行を予約する録画予約処理を実行する。
【００１５】
（４）録画予約された放送番組の内容を携帯端末８１に送信する録画予約通知処理を実行する。
【００１６】
これによって、ユーザは、記録再生装置１０から離れた、例えば外出先などの遠隔地からであっても、録画予約された放送番組の内容を録画処理が実行される前に視認することが出来る。
【００１７】
また、本記録再生装置１０は、例えば携帯端末８１から送信される録画予約を取り消す録画予約取り消し要求を含む電子メールを受信して、その録画予約取り消し要求に応じて、録画予約を取り消す機能も有する。記録再生装置１０は、例えばリモートコントロールユニットから赤外線信号などによって送信されるリモコンコードに応じて、ＡＶ信号の記録、再生および録画予約動作を制御するようにも構成されている。
【００１８】
次に図２のブロック図を参照して、本記録再生装置１０のシステム構成の例について説明する。本記録再生装置１０は、地上波チューナ１、制御ＣＰＵ２、録画装置３、混合器４、リモートコントロール受信部１５、通信部１６等を有している。
【００１９】
地上波チューナ１は、地上アナログ放送波と、その地上アナログ放送波に重畳される地上アナログ放送波の放送番組情報とを受信する受信部である。地上波チューナ１は、入力端子１１を介して地上波アンテナ２０が接続されている。地上波アンテナ２０は、地上アナログ放送波を受信するアンテナである。地上波チューナ１に入力された地上アナログ放送波は、録画装置３に送信される。
【００２０】
ＢＳ／ＣＳ（Broadcasting satellite／Communication satellite）チューナ１９は、ＢＳ／ＣＳ放送波と、ＢＳ／ＣＳ放送波に重畳されるＢＳ／ＣＳ放送波の放送番組情報とを受信する。ＢＳ／ＣＳチューナ１９は、受信したＢＳ／ＣＳ放送波を録画装置３に送信し、ＢＳ／ＣＳ放送波の放送番組情報を制御ＣＰＵ２に送信する。ＢＳ／ＣＳチューナ１９は、衛星アンテナ１８に接続されている。衛星アンテナ１８は、ＢＳ／ＣＳ放送波を受信するアンテナである。
【００２１】
制御ＣＰＵ２は、本記録再生装置１０の各コンポーネントの動作を制御するコントローラである。制御ＣＰＵ２には、データ入力端子１３を介してＢＳ／ＣＳチューナ１９と、地上波チューナ１と、録画装置３および混合器４とに接続されている。また、制御ＣＰＵ２は、地上波チューナ１と、ＢＳ／ＣＳチューナ１９とからそれぞれ入力された放送番組情報を例えばストレージデバイスとしても機能する録画装置３に格納する。制御ＣＰＵ２は、地上波チューナ１と、ＢＳ／ＣＳチューナ１９とからそれぞれ入力された放送番組情報に基づいて、例えばＥＰＧ（Electric program guide）のような電子番組表を生成する処理も実行する。制御ＣＰＵ２は、生成した電子番組表を混合器４および出力端子１４を介して受像機４０に出力される。
【００２２】
録画装置３は、地上波チューナ１から入力された地上波アナログ放送波およびＢＳ／ＣＳチューナ１９から入力されたＢＳ／ＣＳ放送波などのオーディオ・ビデオ信号（ＡＶ信号）を圧縮符号化するためのエンコード処理を実行する。このエンコード処理により、ＡＶ信号は、例えばＭＰＥＧ２またはＭＰＥＧ４などのビデオフォーマット等に対応した、圧縮符号化されたデジタルデータ列に変換される。また、本実施形態においては、録画装置３は、エンコード処理を実行したＡＶ信号等を記録するストレージデバイスとしても用いられる。また、録画装置３は、制御ＣＰＵ２の制御の下、圧縮符号化されたＡＶ信号を復号するためのデコード処理も実行する。このデコード処理によって復号されたＡＶ信号は、混合器４および出力端子１４を介して受像機４０および例えばスピーカなどの音声出力装置４１に出力される。混合器４は、録画装置３から入力されるＡＶ信号に、制御ＣＰＵ２によって生成された電子番組表を重畳して出力端子１４を介して受像機４０に出力する。
【００２３】
リモートコントロール受信部１５は、例えばリモートコントロールユニット５０から赤外線信号などによって送信されるリモコンコードを受信する。リモートコントロールユニット５０は、受信したリモコンコードに応じて、ＡＶ信号の記録、再生、録画予約動作を制御する指示を制御ＣＰＵ２に送信する。
【００２４】
通信部１６は、ネットワーク接続端子１７を介してネットワーク７０上に接続された基地局８０および放送番組情報提供サーバ６０との通信を制御する。基地局８０は、例えば携帯端末８１などの携帯端末に電子メール等を配信する。
【００２５】
この記録再生装置１０は、ネットワーク７０を介して例えば携帯端末８１と通信が可能であり、キーワードに関連する放送番組の録画予約が実行されたことを携帯端末に例えば電子メールで通知する録画予約通知処理の機能を有する。
【００２６】
次に、図３を参照して、本実施形態における録画予約通知処理の例を説明する。
【００２７】
録画装置３は、キーワード管理部３１、放送番組情報格納部３２、録画予約管理部３３および通知バッファ３４等を有している。
【００２８】
キーワード管理部３１は、例えばリモートコントロールユニット５０がユーザによって操作されることによって、録画予約の放送番組名などに関連するキーワードを格納する。放送番組情報格納部３２は、地上波チューナ１とＢＳ／ＣＳチューナ１９とからそれぞれ入力された放送番組情報群と、ネットワーク７０および通信部１６を介して放送番組情報提供サーバ６０から入力された放送番組情報とを格納する。
【００２９】
録画予約管理部３３は、録画処理の実行が予約された放送番組を、即ち録画予約された放送番組（以下、録画予約情報と称する）を格納する。具体的には、録画予約管理部３３は、録画予約情報毎に例えば予約ＩＤのような識別子を付して格納する。通知バッファ３４は、録画予約情報の中から例えば、放送番組名、放送番組の放送日時および放送番組のチャンネル番号等の放送番組の内容を格納する。
【００３０】
制御ＣＰＵ２は、録画予約判別部２１、録画予約処理部２２、録画予約通知処理部２３およびタイマークロック２４を有している。録画予約判別部２１は、放送番組情報格納部３２に格納された放送番組情報が、キーワード管理部３１から取得したキーワードに合致するか否かを判別する。即ち、放送番組情報に含まれる放送番組名などにキーワードが一致、あるいは含まれているか否かを判別する。録画予約判別部２１は、放送番組情報がキーワードに合致すると判別した場合、その放送番組情報を録画予約処理部２２に送信する。キーワードに合致しないと判別された場合、その放送番組情報は録画予約処理部２２に送信されない。録画予約判別部２１は、キーワードに合致した放送番組情報と録画予約管理部３３に格納されている録画予約された録画予約情報とのそれぞれの放送番組の内容が同一であるか否かも判別する。放送番組の内容が同一でないと判別された場合、キーワードに合致した放送番組情報を録画予約処理部２２に送信する。放送番組の内容が同一であると判別された場合、キーワードに合致した放送番組情報を録画予約処理部２２に送信する。録画予約処理部２２は、録画予約判別部２１から入力された放送番組情報を録画予約管理部３３に送信すると共に、その放送番組情報の内容を通知バッファ３４に送信する。録画予約処理部２２は、通信部１６を介して受信された録画予約取り消し要求に応じて、録画予約管理部３３に格納された録画予約情報を取り消す処理も実行する。録画予約通知処理部２３は、通知バッファ３４に格納された放送番組情報の内容を記したテキストデータを含む電子メールを作成して、作成した電子メールを通信部１６に送信する。また、録画予約通知処理部２３は、録画予約管理部３３に格納された録画予約情報を取り消す要求を記したテキストデータを含む電子メールも作成する。タイマークロック２４は、現在の日時を計時するリアルタイムクロックである。このタイマークロック２４には、ユーザによってリモートコントロールユニット５０が操作されることによって、録画予約情報の内容を記したテキストデータ１００を含む電子メールを携帯端末８１に送信すべき日付および時間を設定することもできる。タイマークロック２４は、設定された日時を計時したとき、通知バッファ３４に格納された録画予約情報の内容を携帯端末８１に送信する指示を録画予約通知処理部２３に送信する。本日が何曜日であるかはリアルタイムクロックによって管理される暦に従って決定される。また、タイマークロック２４は、録画予約管理部３３に格納された録画予約情報に含まれる放送番組の放送日時が計時されたとき、その計時された放送番組の放送日時の録画予約情報に従って、録画処理を実行する指示を録画装置３に送信する。
【００３１】
通信部１６は、アドレス情報格納部１６１を有している。このアドレス情報格納部１６１には、リモートコントロールユニット５０が操作されることによって、携帯端末８１に送信すべき電子メールの宛先アドレスおよびパスワードなどが格納される。録画予約通知処理部２３は、アドレス情報格納部１６１に格納されたアドレス情報に従って、録画予約情報の内容を記したテキストデータを電子メールとして携帯端末８１に送信する。また、通信部１６は、携帯端末８１から送信される録画予約取り消し要求を含む電子メールを受信した場合、録画予約取り消し要求に含まれるアドレス情報およびパスワードとが一致するか否かを判別する。一致すると判別した場合、その録画予約取り消し要求を録画予約処理部２２に送信する。
【００３２】
図４には、記録再生装置１０から携帯端末８１に送信される放送番組の内容を記した電子メールの例が示されている。
【００３３】
放送番組の内容を記した電子メールの例においては、例えばＳＧＭＬ（Standard generalized markup language）形式などのマークアップ言語で記述されているテキストデータ１００として実現されている。このテキストデータ１００には、放送番組の内容が記述されると共に、録画予約情報を取り消す要求（取り消しコマンド）が格納された文字情報が定義されている。この文字情報は、「００１予約取り消し」と「００２予約取り消し」とがある。「００１予約取り消し」は、項目００１に記述された録画予約情報に対応する予約ＩＤの内容を取り消す取り消し要求を記録再生装置１０に送信する機能を有する文字情報である。「００２予約取り消し」は、項目００２に記述された録画予約情報に対応する予約ＩＤの内容を取り消す取り消し要求を含む電子メールを記録再生装置１０に送信する。テキストデータ１００に記述された文字情報がユーザによって選択された場合、選択された文字情報に対応する録画予約を取り消す要求を含む電子メールが記録再生装置１０に返信される。このとき、携帯端末８１から記録再生装置１０に返信される電子メールには、携帯端末８１によって、携帯端末８１のアドレス情報およびパスワードが付されて送信されることを想定する。記録再生装置１０は、送信された電子メールに含まれる取り消し要求に付された予約ＩＤと同一の予約ＩＤを有する録画予約情報を取り消す。具体的には、例えばテキストデータ１００上で「００１予約取り消し」がユーザによって選択された場合、その選択された００１項目の録画予約情報に対応する予約ＩＤと同一の予約ＩＤを有する録画予約情報を録画予約管理部３３から削除する。これにより、ユーザは、記録再生装置１０から離れた遠隔地からであっても、録画予約情報の内容を録画処理が実行される前に視認することが出来ると同時に、録画予約情報を取り消すことも出来る。
【００３４】
次に、図５のフローチャートを参照して、録画予約通知処理の手順の例を説明する。この録画予約通知処理の例においては、キーワード管理部３１に予めユーザによって指定されたキーワードが格納されていることを想定する。
【００３５】
制御ＣＰＵ２は、地上波チューナ１、ＢＳ／ＣＳチューナ１９およびネットワーク７０を介して放送番組番組データを受信する（ステップＳ１０１）。ステップＳ１０１においては、制御ＣＰＵ２は、ネットワーク７０を介して放送番組情報提供サーバ６０から送信される放送番組情報も受信する。制御ＣＰＵ２は、放送番組情報提供サーバ６０から受信された放送番組情報群と、受信した放送番組データに重畳された放送番組情報群とを放送番組情報格納部３２に格納する（ステップＳ１０２）。
【００３６】
制御ＣＰＵ２は、放送番組情報格納部３２に格納された放送番組情報群の中から一つの放送番組情報を選択し、その選択した放送番組情報とキーワードとが合致するか否かを判別する（ステップＳ１０３）。合致すると判別された場合（ステップＳ１０３のＹＥＳ）、制御ＣＰＵ２は、合致した放送番組情報と同一の内容の放送番組情報が録画予約管理部３３に格納されているか否かを判別する（ステップＳ１０４）。
【００３７】
同一の内容の放送番組情報が録画予約管理部３３に格納されていないと判別された場合（ステップＳ１０４のＮＯ）、合致した放送番組情報を録画予約された放送番組として録画予約管理部３３に格納する（ステップＳ１０５）。制御ＣＰＵ２は、合致した放送番組情報の内容を通知バッファ３４に格納する（ステップＳ１０６）。次に、制御ＣＰＵ２は、放送番組情報格納部３２に放送番組情報がまだ格納されているか否かを判別する（ステップＳ１０７）。放送番組情報格納部３２に放送番組情報が格納されていないと判別された場合（ステップＳ１０７のＮＯ）、制御ＣＰＵ２は、本記録再生装置１０の動作モードが例えば即時に録画予約された内容を通知する即時通知モードであるか否かを判別する（ステップＳ１０８）。本記録再生装置１０の動作モードが即時通知モードである場合（ステップＳ１０８のＹＥＳ）、制御ＣＰＵ２は、通知バッファ３４に格納された内容を携帯端末に通知する録画予約通知処理を実行する（ステップＳ１０９）。一方、記録再生装置の動作モードが即時通知モードでない場合（ステップＳ１０８のＮＯ）、制御ＣＰＵ２は、タイマークロック２４に設定された時間が計時されたか否かを判別する（ステップＳ１１０）。指定された時間が計時された場合（ステップＳ１１０のＹＥＳ）、制御ＣＰＵ２は、通知バッファ３４に格納された録画予約の内容を携帯端末８１に送信する（ステップＳ１１１）。
【００３８】
一方、キーワードに合致しないと判別した場合（ステップＳ１０３のＮＯ）、およびキーワードに合致した放送番組情報と同一の放送番組情報が録画予約管理部３３に格納されていると判別した場合（Ｓ１０４のＮＯ）、制御ＣＰＵ２は、選択された放送番組情報を破棄し、ステップＳ１０５に進む。また、放送番組情報格納部３２に放送番組情報が格納されていると判別された場合（ステップＳ１０７のＹＥＳ）、制御ＣＰＵ２は、ステップＳ１０３に進む。
【００３９】
録画予約通知処理においては、記録載装置装置の動作モードが即時通知モードである時、受信した放送番組情報群のそれぞれの放送番組情報に対してキーワードに合致する放送番組が録画予約され、その録画予約された放送番組の内容を含む電子メールが放送番組情報群が受信されたときに携帯端末８１に送信される。これにより、ユーザは、最新の放送番組情報を受信した時、キーワードに関連する放送番組が自動的に録画予約された放送番組を視認することが出来る。
【００４０】
記録再生装置１０の動作モードが即時通知モードではなく通常動作モードである場合、制御ＣＰＵ２は、タイマークロック２４によって計時される指定時間に応じて、通知バッファ３４に格納された放送番組の内容含む電子メールを生成して、その生成した電子メールを携帯端末８１に送信する。指定時間が到来した時に、携帯端末８１に電子メールが送信されることによって、ユーザは、記録再生装置１０を直接操作することなく、指定時間に録画予約情報の内容を一括して視認することが出来る。
【００４１】
本実施形態における録画予約通知処理の例においては、図５に示すようにキーワードに関連する放送番組が自動的に録画予約される自動録画予約処理のシーケンスの中で実行される。
【００４２】
次に、図６のフローチャートを参照して、録画予約取り消し処理の手順の例を説明する。録画予約取り消し処理は、携帯端末８１から送信される放送番組の録画予約の内容を取り消す要求を含む電子メールを受信することによって実行される。
【００４３】
制御ＣＰＵ２は、放送番組の録画予約内容を取り消す取り消し要求を含む電子メールを受信したか否かを判別する（ステップＳ２０１）。取り消す要求を含む電子メールを受信したと判別した場合（ステップＳ２０１のＹＥＳ）、制御ＣＰＵ２は、取り消し要求の送信元のアドレス情報がアドレス情報格納部１６１に格納されているアドレス情報と一致しているか否かを判別する（ステップＳ２０２）。受信したアドレス情報がアドレス情報格納部１６１に格納されたアドレス情報と一致していると判別した場合（ステップＳ２０２のＹＥＳ）、制御ＣＰＵ２は、受信した取り消し要求に応じて、放送番組の録画予約を消去する（ステップＳ２０３）。一方、受信したアドレス情報がアドレス情報格納部１６１に格納されているアドレス情報と一致しないと判別した場合（ステップＳ２０２のＮＯ）、制御ＣＰＵ２は、受信した取り消し要求を破棄して、録画予約取り消し処理を終了する。
【００４４】
以上の説明によれば、キーワードに関連する放送番組が自動的に録画予約された時、その録画予約された放送番組の内容を記した電子メールが携帯端末に送信される。これによって、ユーザが記録再生装置１０を直接操作することなく、放送番組の録画予約が実行されたことが録画予約に従って録画処理が実行される前に、録画予約の内容をユーザに提示することが出来る。即ち、ユーザが例えば記録再生装置１０が設置されていない遠隔地に居る場合であっても、録画処理が実行される前の録画予約された放送番組の内容をユーザに提示することができる。録画処理が実行される前に、録画予約された放送番組の内容がユーザに提示されることで、ユーザは、その録画予約の内容の実行を取り消すことも出来る。
【００４５】
なお、本実施形態においては、録画予約された放送番組の内容を携帯端末に送信する例を説明したが、例えば記録再生装置１０が設置された部屋とは別の部屋に設置されたパーソナルコンピュータのような端末に送信してもよい。
【００４６】
また、本発明は、上記実施形態そのままに限定されるものではなく、実施段階では、その要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に異なる実施形態に構成要素を適宜組み合わせてもよい。
【図面の簡単な説明】
【００４７】
【図１】本発明の一実施形態に係る記録再生装置と携帯端末との間で実行される録画予約通知処理の様子を説明するための図。
【図２】図１の記録再生装置のシステム構成の例を示すブロック図。
【図３】図１の記録再生装置によって実行される録画予約通知処理および録画予約取り消し処理の例を説明するためのブロック図。
【図４】図１の記録再生装置から携帯端末に送信される録画予約された放送番組が記載された電子メールの内容の例を示す図。
【図５】図１の記録再生装置と携帯端末との間で実行される録画予約通知処理の手順の例を説明するためのフローチャート。
【図６】図１の記録再生装置と携帯端末との間で実行される録画予約取り消し処理の手順の例を説明するためのフローチャート。
【符号の説明】
【００４８】
１…地上波チューナ、２…制御ＣＰＵ、３…録画装置、１０…記録再生装置、１９…ＢＳ／ＣＳチューナ、１６…通信部、２１…録画予約判別部、２２…録画予約処理部、２３…録画予約通知処理部、２４…タイマークロック、３１…キーワード管理部、３２…放送番組情報格納部、３３…録画予約管理部、３４…通知バッファ、６０…放送情報提供サーバ、７０…ネットワーク、８０…基地局、８１…携帯端末。
【図１】
2007081993.tif 000003
【図２】
2007081993.tif 000004
【図３】
2007081993.tif 000005
【図４】
2007081993.tif 000006
【図５】
2007081993.tif 000007
【図６】
2007081993.tif 000008